(57)【要約】  メディアコンテンツのビデオフィンガープリントが、複数の異なるチャネルとそれぞれ対応する複数の参照ビデオフィンガープリントに一致するシナリオにおいて、チャネル識別を曖昧性を排除するのを助けるための方法およびシステムが開示される。そのような複数一致の状況が与えられれば、エンティティは、当該のメディアコンテンツのオーディオフィンガープリントが、複数のチャネルのうちのただ１つのオーディオフィンガープリントに一致するとさらに決定し、それにより、それが、メディア提示デバイスによって表示されているメディアコンテンツがその上に到着しているチャネルであることを確定することなどによって、メディアコンテンツのオーディオ成分に基づいて曖昧性を排除することができる。【選択図】図２
2019507515.tif 000002
【特許請求の範囲】
【請求項１】
メディア提示デバイスによって表示されているメディアコンテンツのビデオフィンガープリントが、異なるそれぞれのチャネルとそれぞれ対応する複数の参照ビデオフィンガープリントに一致するとコンピューティングシステムによって決定することと、
前記ビデオフィンガープリントが、異なるそれぞれのチャネルとそれぞれ対応する前記複数の参照ビデオフィンガープリントに一致すると少なくとも決定することに応答して、前記メディア提示デバイスによって表示されている前記メディアコンテンツのオーディオフィンガープリントが、ただ単一のチャネルと対応する参照オーディオフィンガープリントに一致するという決定に少なくとも部分的に基づいて曖昧性排除を実施することであって、前記曖昧性排除は、前記メディア提示デバイスが前記単一のチャネル上で前記メディアコンテンツを受信していることを確定する、ことと、
前記メディア提示デバイスが前記単一のチャネル上で前記メディアコンテンツを受信していることを前記確定することに基づいてアクションを取ることと
を含む方法。
【請求項２】
前記メディア提示デバイスによって表示されている前記メディアコンテンツがビデオトラックとオーディオトラックとを有し、前記ビデオフィンガープリントが前記ビデオトラックのフィンガープリントであり、前記オーディオフィンガープリントが前記オーディオトラックのフィンガープリントである、請求項１に記載の方法。
【請求項３】
前記メディア提示デバイスによって表示されている前記メディアコンテンツの前記オーディオフィンガープリントが、前記メディア提示デバイスによって表示されている前記メディアコンテンツの少なくとも言語トラックを表す、請求項１に記載の方法。
【請求項４】
前記コンピューティングシステムが前記メディア提示デバイス以外のエンティティであり、前記ビデオフィンガープリントと前記オーディオフィンガープリントとが前記メディア提示デバイスによって生成され、前記方法が、
前記ビデオフィンガープリントと前記オーディオフィンガープリントとを、前記メディア提示デバイスから前記コンピューティングシステムによって受信すること
をさらに含む、請求項１に記載の方法。
【請求項５】
前記複数の参照ビデオフィンガープリントが、参照データ中の複数の参照ビデオフィンガープリントから選択され、前記メディア提示デバイスによって表示されている前記メディアコンテンツの前記ビデオフィンガープリントが前記複数の参照ビデオビデオフィンガープリントに一致すると決定することは、
前記メディア提示デバイスによって表示されている前記メディアコンテンツの前記ビデオフィンガープリントを前記参照データ中の前記複数の参照ビデオフィンガープリントと比較することと、
前記比較することに基づいて、前記メディア提示デバイスによって表示されている前記メディアコンテンツの前記ビデオフィンガープリントが前記複数の参照ビデオフィンガープリントに一致すると決定することと
を含む、請求項１に記載の方法。
【請求項６】
前記複数の参照ビデオフィンガープリントからなる複数一致グループを検出しフラグ付けすることをさらに含み、
前記メディア提示デバイスによって表示されている前記メディアコンテンツの前記ビデオフィンガープリントが前記複数の参照ビデオフィンガープリントに一致すると決定することは、前記メディア提示デバイスによって表示されている前記メディアコンテンツの前記ビデオフィンガープリントが、前記フラグ付けされた複数一致グループの前記参照ビデオフィンガープリントに一致すると決定することを含む、
請求項１に記載の方法。
【請求項７】
前記フラグ付けされた複数一致グループの前記ビデオフィンガープリントと対応するオーディオフィンガープリントを比較することと、
前記比較することに基づいて、前記比較されたオーディオフィンガープリントの間の差を検出することと、
前記差を検出することに応答して、オーディオフィンガープリント分析が曖昧性排除を可能にすることができることを示すために前記複数一致グループにさらにフラグ付けすることと
をさらに含み、
前記メディア提示デバイスによって表示されている前記メディアコンテンツの前記オーディオフィンガープリントが、ただ単一のチャネルと対応する参照オーディオフィンガープリントに一致するという前記決定に基づいて曖昧性排除を実施することは、オーディオフィンガープリント分析が曖昧性排除を可能にすることができることを示すために前記複数一致グループがさらにフラグ付けされると決定することにさらに応答する、
請求項６に記載の方法。
【請求項８】
前記メディア提示デバイスによって表示されている前記メディアコンテンツの前記オーディオフィンガープリントが、ただ単一のチャネルと対応する参照オーディオフィンガープリントに一致するという前記決定を行うことをさらに含み、前記決定を行うことは、
前記メディア提示デバイスによって表示されている前記メディアコンテンツの前記オーディオフィンガープリントを、前記複数の参照ビデオフィンガープリントと同じチャネルと対応する参照オーディオフィンガープリントと比較することと、
前記比較することに基づいて、前記メディア提示デバイスによって表示されている前記メディアコンテンツの前記オーディオフィンガープリントが前記参照オーディオフィンガープリントのうちのただ単一の１つに一致すると決定することと
を含む、請求項１に記載の方法。
【請求項９】
前記コンピューティングシステムが前記メディア提示デバイス以外のエンティティであり、前記方法は、
前記ビデオフィンガープリントが、異なるそれぞれのチャネルとそれぞれ対応する前記複数の参照ビデオフィンガープリントに一致すると少なくとも決定することに応答して、取得されたオーディオフィンガープリントに基づいて曖昧性排除の前記実施を可能にするために、前記メディア提示デバイスによって表示されている前記メディアコンテンツの前記オーディオフィンガープリントを前記コンピューティングシステムが前記メディア提示デバイスに要求し、受信すること
をさらに含む、請求項８に記載の方法。
【請求項１０】
前記ビデオフィンガープリントが、異なるチャネルとそれぞれ対応する前記複数の参照フィンガープリントに一致すると少なくとも決定することに応答して、前記比較することを可能にするために、前記複数の参照ビデオフィンガープリントと同じチャネルと対応する前記参照オーディオフィンガープリントを生成すること
をさらに含む、請求項８に記載の方法。
【請求項１１】
前記メディア提示デバイスが前記単一のチャネル上で前記メディアコンテンツを受信していることを前記確定することに基づいてアクションを取ることは、（ｉ）前記メディア提示デバイスによって表示されている前記メディアコンテンツとともに補助チャネル固有コンテンツが提示させられることと、（ｉｉ）チャネルレーティングシステムにおける使用のために前記単一のチャネルの提示を記録することとからなる群から選択されたアクションを取ることを含む、請求項１に記載の方法。
【請求項１２】
少なくとも部分的に前記メディア提示デバイスによって行われる、請求項１に記載の方法。
【請求項１３】
メディア提示デバイスによって表示されているメディアコンテンツのビデオフィンガープリントが、異なるそれぞれのチャネルとそれぞれ対応する複数の参照ビデオフィンガープリントに一致すると決定することと、
前記ビデオフィンガープリントが、異なるそれぞれのチャネルとそれぞれ対応する前記複数の参照ビデオフィンガープリントに一致すると少なくとも決定することに応答して、前記メディア提示デバイスによって表示されている前記メディアコンテンツのオーディオフィンガープリントが、ただ単一のチャネルと対応する参照オーディオフィンガープリントに一致するという決定に少なくとも部分的に基づいて曖昧性排除を実施することであって、前記曖昧性排除は、前記メディア提示デバイスが前記単一のチャネル上で前記メディアコンテンツを受信していることを確定する、ことと、
前記メディア提示デバイスが前記単一のチャネル上で前記メディアコンテンツを受信していることを前記確定することに基づいてアクションを取ることと
を含む動作を行うように処理ユニットによって実行可能な命令を記憶した非一時的コンピュータ可読媒体。
【請求項１４】
前記メディア提示デバイスによって表示されている前記メディアコンテンツの前記オーディオフィンガープリントが、前記メディア提示デバイスによって表示されている前記メディアコンテンツの少なくとも言語トラックを表す、請求項１３に記載の非一時的コンピュータ可読媒体。
【請求項１５】
ネットワーク通信インターフェースと、
処理ユニットと、
非一時的データストレージと、
前記非一時的データストレージに記憶されたプログラム命令と
を備えるシステムであって、前記プログラム命令は、
メディア提示デバイスによって表示されているメディアコンテンツのビデオフィンガープリントを、前記ネットワーク通信インターフェースを介して前記メディア提示デバイスから受信することと、
前記受信されたビデオフィンガープリントが、複数のチャネルと対応する参照ビデオフィンガープリントに一致すると決定することと、
前記メディア提示デバイスによって表示されている前記メディアコンテンツのオーディオフィンガープリントを、前記ネットワーク通信インターフェースを介して前記メディア提示デバイスから受信することと、
前記複数のチャネルのうちのどれが、前記メディア提示デバイスによって表示されている前記メディアコンテンツを搬送するかを決定するために、前記受信されたオーディオフィンガープリントを使用することと、
前記決定されたチャネルに基づいてアクションを取ることと
を含む動作を行うように前記処理ユニットによって実行可能である、システム。
【請求項１６】
前記メディア提示デバイスによって表示されている前記メディアコンテンツがビデオトラックとオーディオトラックとを有し、前記ビデオフィンガープリントが前記ビデオトラックのフィンガープリントであり、前記オーディオフィンガープリントが前記オーディオトラックのフィンガープリントである、請求項１５に記載のシステム。
【請求項１７】
前記複数の参照ビデオフィンガープリントが、参照データ中の複数の参照ビデオフィンガープリントから選択され、前記受信されたビデオフィンガープリントが前記複数の参照ビデオフィンガープリントに一致すると決定することは、
前記受信されたビデオフィンガープリントを前記参照データ中の前記複数の参照ビデオフィンガープリントと比較することと、
前記比較することに基づいて、前記受信されたビデオフィンガープリントが前記複数の参照ビデオフィンガープリントに一致すると決定することと
を含む、請求項１５に記載のシステム。
【請求項１８】
前記複数のチャネルのうちのどれが、前記メディア提示デバイスによって表示されている前記メディアコンテンツを搬送するかを決定するために、前記受信されたオーディオフィンガープリントを使用することは、
前記受信されたオーディオフィンガープリントを、前記複数のチャネルと対応する参照オーディオフィンガープリントと比較することと、
前記比較することに基づいて、前記受信されたオーディオフィンガープリントが前記参照オーディオフィンガープリントのうちのただ単一の１つに一致すると決定することと
を含む、請求項１５に記載のシステム。
【請求項１９】
前記動作は、
前記ビデオフィンガープリントが、異なるそれぞれのチャネルとそれぞれ対応する前記複数の参照ビデオフィンガープリントに一致すると少なくとも決定することに応答して、前記メディア提示デバイスによって表示されている前記メディアコンテンツの前記オーディオフィンガープリントについての要求を前記メディア提示デバイスに送ることをさらに含み、
前記メディア提示デバイスによって表示されている前記メディアコンテンツの前記オーディオフィンガープリントを前記メディア提示デバイスから受信することが、前記要求を送ることに応答して行われる、
請求項１５に記載のシステム。
【請求項２０】
前記決定されたチャネルに基づいてアクションを取ることは、（ｉ）前記メディア提示デバイスによって表示されている前記メディアコンテンツとともに補助チャネル固有コンテンツが提示させられることと、（ｉｉ）チャネルレーティングシステムにおける使用のために前記決定されたチャネルの提示を記録することとからなる群から選択されたアクションを取ることを含む、請求項１５に記載のシステム。
【発明の詳細な説明】
【技術分野】
【０００１】
関連出願の参照
本出願は、２０１６年７月２８日に出願された米国特許出願第１５／２２２，４０５号と、２０１６年６月１０日に出願された米国特許出願第１５／１７９，１４３号との一部継続出願であり、２０１６年２月２９日に出願された米国仮特許出願第６２／３０１，６１６号の優先権を主張する、２０１６年８月３１日に出願された米国特許出願第１５／２５３，３５４号の優先権を主張する。これらの優先権出願の各々の全体は参照により本明細書に組み込まれる。さらに、米国特許出願公開第２０１５／０１８１２６３号の開示は、それの全体が参照により本明細書に組み込まれる。
【背景技術】
【０００２】
典型的なメディア提示デバイスは、ビデオおよびオーディオ成分を有するメディアコンテンツを表すアナログまたはデジタルメディアストリームを受信し、ディスプレイスクリーンとオーディオスピーカーとを含むユーザインターフェース上にメディアコンテンツを表示し出力するように動作する。そのようなデバイスの例は、限定はしないが、テレビジョン、（たとえば、別個のまたは統合されたビデオ提示およびオーディオ提示構成要素を有する）マルチメディア提示システムなどを含む。
【０００３】
多くの場合、そのようなメディア提示デバイスは、メディアコンテンツの多数の個別チャネルへのアクセスを有し、所与のそのようなチャネルのメディアコンテンツをプレイアウトのためにメディア提示デバイスに選択的に送出することができる、ローカルセットトップボックスもしくは他の同様のデバイスまたはリモートサーバなどの受信機と通信していることがある。
【０００４】
例として、テレビジョンが、ケーブルＴＶチャネルのセットへのアクセスを有するケーブルＴＶセットトップボックスに通信可能にリンクされることがあり、セットトップボックスは、特定のチャネルを選択しているユーザ入力を受信し、選択されたチャネルに応答的に同調して、選択されたチャネルのビデオおよびオーディオ成分をテレビジョンに出力するように構成されることができ、テレビジョンは、それらのビデオおよびオーディオ成分をユーザへの提示のために表示するように構成されることができる。そして、別の例として、別個のまたは統合されたディスプレイおよびラウドスピーカー構成要素を有するマルチメディア提示システムが、無数のテレビジョンまたはオンラインストリーミングメディアチャネルへのアクセスを有するコンピュータ、セットトップボックス、または他の受信機に通信可能にリンクされることがあり、受信機は、特定のチャネルを選択しているユーザ入力を受信し、選択されたチャネルの受信を応答的に開始し、メディアコンテンツのオーディオ成分をユーザへの提示のためにラウドスピーカーに提供しながら、チャネルのビデオ成分をユーザへの提示のためにディスプレイに提供するように構成されることができる。
【発明の概要】
【発明が解決しようとする課題】
【０００５】
メディア提示デバイスがメディアコンテンツを受信し表示するとき、メディア提示デバイスは、どのチャネルがメディアコンテンツを搬送したかを示すものを有しないことがある。チャネルに選択的に同調してメディアコンテンツを受信し、メディアコンテンツをメディア提示デバイスに提供する受信機または他のデバイスはそのような情報を有することができるが、上記他のデバイスからメディアコンテンツを受信するメディア提示デバイスはそのような情報を有しないことがある。たとえば、テレビジョンがケーブルＴＶセットトップボックスに結合され、ユーザがセットトップボックス上で特定のケーブルチャネルを選択した場合、セットトップボックスは、それにより、そのチャネルとして選択されたチャネルを示すものを有することができ、セットトップボックスは、次いで、そのチャネル上のメディアコンテンツを受信し、メディアコンテンツはテレビジョンに出力される。しかし、テレビジョン自体は、メディアコンテンツを受信し表示するだけでよく、選択されたチャネルを示すものを有しないことがある。
【０００６】
しかしながら、様々な理由により、様々なチャネルのうちのどれが、メディア提示デバイスによって表示されているコンテンツを搬送するチャネルであるかを決定することが有用であることができる。さらに、チャネル選択デバイス（たとえば、受信機またはリモートコントロール）が同調されたチャネルの報告をそのデバイスから受信することなしに、および場合によってはチャネル選択デバイスのいかなる関与もなしにそのように行うことが有用であることができる。たとえば、メディア提示デバイス自体、および／またはメディア提示デバイスと協働して動作しているネットワークサーバが、メディア提示デバイスによって表示されている（たとえば、すでに表示されているか、現在表示されているか、または表示されるためにキュー中にある）メディアコンテンツの評価に基づいてチャネルを決定することが有用であることができる。メディアコンテンツがその上に到着しているチャネルの知識が与えられれば、メディア提示デバイス、ネットワークサーバ、および／または別のエンティティは、次いで、多数の可能性の中でも、そのチャネルのメディアコンテンツが再生されている程度を決定し記録すること、メディアコンテンツの所定の部分を（差し替え広告などの）代替コンテンツと選択的に差し替えること、またはメディアコンテンツとともに提示のためにメディアコンテンツ上にチャネル固有コンテンツを重ね合わせることなど、チャネルにキーイングされた１つまたは複数の動作を行うことができる。
【０００７】
メディアコンテンツがその上に到着しているチャネルを決定するための１つの方法は、メディア提示デバイス（もしくは場合によっては補助デバイス）および／またはネットワークサーバに、メディア提示デバイスによって表示されているメディアコンテンツのデジタルフィンガープリントを生成させ、次いで、そのフィンガープリントを、特定のチャネル上に提供されるべきことが知られているメディアコンテンツについて確定された(established)参照フィンガープリントデータと比較することである。
【０００８】
たとえば、ネットワークサーバまたは他のそのようなエンティティは、参照データへのアクセスを確立するかまたはさもなければ有することができ、この参照データは、メディア提示デバイスにメディアコンテンツを提供するために利用可能なチャネルの各々（たとえば、メディア提示デバイスにメディアコンテンツを供給するセットトップボックスのための加入プラン内のチャネルの各々）の参照ビデオフィンガープリントを含み、各参照ビデオフィンガープリントを、メディアコンテンツがその上で提供されるチャネルにマッピングする。メディア提示デバイスが所与のメディアコンテンツを受信し表示すると、メディア提示デバイスは、次いで、そのメディアコンテンツのビデオフィンガープリントを生成し、ネットワーク通信インターフェースを通して、生成されたビデオフィンガープリントを分析のためにネットワークサーバに報告することができる。ネットワークサーバは、次いで、報告されたビデオフィンガープリントを参照ビデオフィンガープリントデータと比較して、参照ビデオフィンガープリントとの一致を発見し、それにより、メディアコンテンツがその上に到着しているチャネルが、参照データがその参照ビデオフィンガープリントとマッピングするチャネルであると決定することができる。それにより、メディアコンテンツがその上に到着しているチャネルを決定すると、ネットワークサーバは、次いで、メディア提示デバイスにチャネルを示すものを通信することができる、メディア提示デバイスはチャネル固有アクションを取ることができる。代替的に、ネットワークサーバ自体または別のエンティティが、決定されたチャネルに基づいてチャネル固有アクションを取ることができる。
【０００９】
しかしながら、残念ながら、このプロセスにおいて起こることができる問題は、同じメディアコンテンツが、同時にかまたは異なる時間にかにかかわらず、複数の異なるチャネル上に提供されることができ、したがって、メディア提示デバイスによって表示されているメディアコンテンツのビデオフィンガープリントが、メディアコンテンツがその上に到着しているチャネルのみと相関しないことがあることである。たとえば、スポーツゲームもしくは政治イベントが、複数の異なるチャネル上で同時にブロードキャストされることができるか、またはシンジケート化されたテレビジョンもしくはラジオショーが、同時にもしくは異なる時間に複数の異なるそのようなチャネル上でブロードキャストされることができる。これらまたは他のシナリオでは、メディア提示デバイスがそのようなメディアコンテンツを提示しており、メディアコンテンツのビデオフィンガープリントを生成し提供する場合、そのビデオフィンガープリントは複数の参照ビデオフィンガープリントにマッピングされることができ、したがってチャネル識別は決定的にならないであろう。
【００１０】
これの特定の例として、２つの異なるコンテンツプロバイダが、別個のそれぞれのチャネル上でそれぞれ、両方とも同じスポーツゲームをブロードキャストし、広告主が、ゲームについてのそのプロバイダのブロードキャスト上でポップアップ広告を提示するために、コンテンツプロバイダのうちただ１つと契約を有するシナリオを検討されたい。このシナリオでは、メディア提示デバイスがこれらのブロードキャストのうちの１つを受信し提示しているとき、メディア提示デバイスがブロードキャストのビデオフィンガープリントを生成しネットワークサーバに提供した場合、ネットワークサーバは、ビデオフィンガープリントが、ゲームについての両方のコンテンツプロバイダのブロードキャストに一致すると決定することがあり、したがって、メディア提示デバイスがポップアップ広告を提示すべきか否かが不明瞭になることができる。
【００１１】
本明細書では、メディアコンテンツのビデオフィンガープリントデータが、複数の異なるチャネルとそれぞれ対応する複数の参照ビデオフィンガープリントに一致するシナリオにおいて、チャネル識別を曖昧性を排除するのを助けるための方法およびシステムが開示される。本開示によれば、ネットワークサーバまたは他のエンティティがそのような複数一致の状況を検出したとき、そのエンティティは、次いで、メディアコンテンツのオーディオ成分に基づいて曖昧性排除を実施する。特に、エンティティは、当該のメディアコンテンツのビデオフィンガープリントが、複数の異なるチャネルの参照ビデオフィンガープリントに一致すると決定することによって、複数一致のシナリオを最初に検出することができる。その検出された複数一致のシナリオに直面すると、エンティティは、次いで、当該のメディアコンテンツのオーディオフィンガープリントが複数のチャネルのうちのただ１つのオーディオフィンガープリントに一致するというさらなる決定に基づいて曖昧性排除を実施し、それにより、チャネル固有アクションを取ることを可能にするために、それは、メディア提示デバイスによって表示されているメディアコンテンツがその上に到着しているチャネルであることを確定する。
【００１２】
実際には、この曖昧性排除のための基礎を形成するオーディオは、メディアコンテンツの言語トラックであることができる。たとえば、複数のチャネルは互いに同じビデオトラックを有することができるが、それらは、１つのオーディオトラックは英語の音声で記録されるかまたは吹き替えられ、別のオーディオトラックはスペインの音声でまたは別の言語もしくは音声で記録されるかまたは吹き替えられるなど、互いに異なるオーディオトラックを有することができる。この状況は、たとえば、同じブロードキャストが異なるチャネル上で提供されるが、異なる言語を話すユーザによる受信および享受を可能にするためにチャネルが異なる言語を有する場合に起こることができる。そのようなチャネルのビデオトラックにキーイングされた複数一致の状況に直面すると、このプロセスを行っているエンティティは、チャネルのうちのどれが、メディア提示デバイスによって表示されているチャネルであるかを決定するための基礎として、表示されているメディアコンテンツのオーディオフィンガープリントを使用することができる。
【００１３】
代替または追加として、この曖昧性排除のための基礎を形成するオーディオは、たとえば、バックグラウンドミュージック、サウンドエフェクト、および／または他のオーディオ成分を含む、他の形態を取ることができる。
【００１４】
したがって、オーディオフィンガープリントに基づいて曖昧性排除を通して決定されたチャネルに基づいてアクションを取ることを含む方法が開示される。本方法は、メディア提示デバイスによって表示されているメディアコンテンツのビデオフィンガープリントが、異なるそれぞれのチャネルとそれぞれ対応する複数の参照ビデオフィンガープリントに一致するとコンピューティングシステムが決定することを含む。さらに、本方法は、ビデオフィンガープリントが、異なるそれぞれのチャネルとそれぞれ対応する複数の参照ビデオフィンガープリントに一致すると少なくとも決定することに応答して、メディア提示デバイスによって表示されているメディアコンテンツのオーディオフィンガープリントが、ただ単一のチャネルと対応する参照オーディオフィンガープリントに一致するという決定に少なくとも部分的に基づいて曖昧性排除を実施することを含み、曖昧性排除は、メディア提示デバイスが単一のチャネル上でメディアコンテンツを受信していることを確定する。そして、本方法は、メディア提示デバイスが単一のチャネル上でメディアコンテンツを受信していることを確定することに基づいてアクションを取ることを含む。
【００１５】
さらに、ネットワーク通信インターフェースと、処理ユニットと、非一時的データストレージと、非一時的データストレージ中に（たとえば、その上に）記憶され、様々な動作を行うように処理ユニットによって実行可能なプログラム命令とを含むシステムが開示される。動作は、メディア提示デバイスによって表示されているメディアコンテンツのビデオフィンガープリントを、ネットワーク通信インターフェースを介してメディア提示デバイスから受信することを含む。さらに、動作は、受信されたビデオフィンガープリントが、複数のチャネルと対応する参照ビデオフィンガープリントに一致すると決定することを含む。またさらに、動作は、メディア提示デバイスによって表示されているメディアコンテンツのオーディオフィンガープリントを、ネットワーク通信インターフェースを介してメディア提示デバイスから受信することを含む。そして、動作は、複数のチャネルのうちのどれが、メディア提示デバイスによって表示されているメディアコンテンツを搬送するかを決定するために、受信されたオーディオフィンガープリントを使用することを含む。動作は、その上、決定されたチャネルに基づいてアクションを取ることを含む。
【００１６】
そして、またさらに、本明細書で説明される動作など、様々な動作を行うように処理ユニットによって実行可能な命令を記憶した非一時的コンピュータ可読媒体が開示される。
【００１７】
これらならびに他の態様、利点、および代替形態は、必要に応じて添付の図面を参照しながら、以下の詳細な説明を読むことによって当業者に明らかになろう。さらに、この概要および以下において提供される説明は、本発明を例として示すものにすぎず、限定として示すものではないことを理解されたい。
【図面の簡単な説明】
【００１８】
【図１】様々な開示される原理が適用されることができる例示的なシステムの簡略ブロック図である。
【図２】メディア提示デバイスが、ビデオおよびオーディオ成分を含むメディアコンテンツを受信機から受信する構成の簡略ブロック図である。
【図３】様々な開示される原理を実装することを可能にするためにメディア提示デバイスがネットワークサーバと通信する、例示的なネットワーク構成の簡略ブロック図である。
【図４】本開示に従って行われることができる動作を示すフローチャートである。
【図５】例示的なネットワークサーバの簡略ブロック図である。
【図６】例示的なメディア提示デバイスの簡略ブロック図である。
【発明を実施するための形態】
【００１９】
図面を参照すると、図１は、様々な開示される原理が適用されることができる例示的なシステムの簡略ブロック図である。しかしながら、本明細書で説明されるこのおよび他の構成およびプロセスは様々な他の形態を取ることができることを理解されよう。たとえば、要素および動作は、並べ替え、分散、複製、合成、省略、追加、またはさもなければ修正されることができる。さらに、１つまたは複数のエンティティによって実行されるものとして本明細書で説明される機能は、プログラム命令などを実行する１つまたは複数の処理ユニットによってなど、ハードウェア、ファームウェア、および／またはソフトウェアを通して、それらのエンティティによっておよび／またはそれらのために実装されることができることを理解されよう。
【００２０】
図１に示されているように、例示的なシステムは、１つまたは複数のメディアコンテンツソース１２（たとえば、ブロードキャスター、ウェブサーバなど）と、１つまたは複数のメディアコンテンツ配信者１４（たとえば、ケーブルプロバイダ、衛星プロバイダ、オーバージエアブロードキャストプロバイダ、ウェブアグリゲータなどのマルチチャネル配信者）と、１つまたは複数のメディアコンテンツ受信機１６（たとえば、ケーブル受信機、衛星受信機、オーバージエアブロードキャスト受信機、コンピュータまたは他のストリーミングメディア受信機など）と、１つまたは複数のクライアントまたはメディア提示デバイス１８（たとえば、テレビジョンまたは他のディスプレイデバイス、ラウドスピーカーまたは他のオーディオ出力デバイスなど）とを含む。
【００２１】
実際には、たとえば、メディアコンテンツソース１２は、ＡＢＣ、ＮＢＣ、ＣＢＳ、ＦＯＸ、ＨＢＯ、およびＣＮＮなどの全国的ブロードキャスターであることができ、メディアコンテンツ配信者１４は、特定の指定されたマーケットエリア（ＤＭＡ）内のローカルアフィリエイトおよび／または他のローカルコンテンツ配信者であることができ、受信機１６およびメディア提示デバイス１８は、さらに、自宅または事業施設など、顧客構内に位置することができる。この構成または他の構成を用いて、コンテンツソース１２は、顧客構内における受信機１６への配信のためにコンテンツ配信者１４にメディアコンテンツを配信することができ、コンテンツ配信者は、個別チャネル（たとえば、特定の周波数）上で受信機１６にメディアコンテンツを配信することができる。各受信機は、次いで、ユーザ入力または１つもしくは複数の他のトリガに応答して、選択されたチャネルに同調し、選択されたチャネル上に到着しているメディアコンテンツをメディア提示デバイス１８に出力することができる。そして、メディア提示デバイス１８は、メディアコンテンツを受信し表示することができる（たとえば、コンテンツを表示するかまたはさもなければ提示することができる）。
【００２２】
この構成では、メディア提示デバイスがこのメディアコンテンツを受信し表示するとき、メディア提示デバイスは、メディアコンテンツがその上に到着しているチャネルについての、すなわち、受信機が同調されるチャネルについて示すものを有しないことがある。そうではなく、メディア提示デバイスは、受信機からメディアストリームとしてメディアコンテンツを受信し、受信されたメディアコンテンツを表示するように構成されるだけであることができる。しかしながら、本開示によれば、メディア提示デバイスは、ネットワークサーバと通信していてよく、チャネルの識別を可能にし、このようにして有用なチャネル固有アクションを取ることを可能にするためにネットワークサーバとともに動作することができる。
【００２３】
図２は、メディア提示デバイス１８が受信機１６からメディアコンテンツのチャネルを受信し、メディアコンテンツをユーザへの提示のために表示するように構成された例示的な構成を示す。この構成では、メディア提示デバイスは、統合されたまたは別個のビデオおよびオーディオ提示構成要素２０、２２（たとえば、ビデオディスプレイモジュールおよび関連するソフトウェア／ハードウェアならびにオーディオ出力モジュールおよび関連するソフトウェア／ハードウェア）を含むテレビジョンまたは他のシステムなど、上記で説明されたタイプであることができる。そして、受信機は、メディアコンテンツの様々なチャネルのいずれかに選択的に同調しそれを出力するように構成された、ケーブルＴＶセットトップボックス、コンピュータなど、上記で説明されたタイプであることができる。実際には、メディア提示デバイスは、受信機が同調されたチャネルのビデオおよびオーディオ成分（たとえば、ビデオおよびオーディオトラック）を受信機から受信することを可能にするために、受信機との１つまたは複数の接続（たとえば、ワイヤードまたはワイヤレス接続）を有することができる。そして、メディア提示デバイスのビデオおよびオーディオ提示構成要素２０、２２は、次いで、受信機から受信されているビデオおよびオーディオをユーザへの提示のために表示するように動作することができる。
【００２４】
図３は、次に、そのようなメディア提示デバイス１８がインターネットなどのネットワーク２６を介してネットワークサーバ２４と通信している例示的なネットワーク構成を示す。実際には、メディア提示デバイス１８は、顧客構内においてローカルエリアネットワーク（ＬＡＮ）上にノードとして位置することができ、メディア提示デバイスは、ＬＡＮ上に割り当てられたインターネットプロトコル（ＩＰ）アドレスを有し、ＬＡＮはインターネット上にＩＰアドレスを有する。さらに、ネットワークサーバ２４も、インターネット上のＩＰアドレスにおいてアクセス可能であることができる。この構成を用いて、メディア提示デバイスは、チャネル識別および関連するアクションを可能にするように、メディア提示デバイスによって表示されているメディアコンテンツのフィンガープリントを報告するために、インターネットを介してネットワークサーバとのＩＰ通信を開始しそれに関与することができる。
【００２５】
上記で説明されたように、本開示に従って動作するネットワークサーバ２４または別のエンティティは、少なくともメディア提示デバイス１８にとってアクセス可能な様々なチャネルの各々の上で搬送されるかまたは搬送されるようにスケジュールされたメディアコンテンツのための参照データ２８へのアクセスを確立するかまたは有することができる。リレーショナルデータベースまたは他の形態で記憶されることができる参照データは、各チャネルの１つまたは複数の参照フィンガープリントを、場合によっては、チャネルによって最も最近搬送された（たとえば、最も直近の時間期間をカバーしているスライディングウィンドウベース上の）メディアコンテンツの参照フィンガープリントストリームを含むことができる。代替または追加として、参照データは、特定のチャネル上で搬送されるために利用可能および／またはスケジュールされた各メディアコンテンツ番組（たとえば、テレビジョン放送、ストリーミングメディアファイルなど）の１つまたは複数のそれぞれの参照フィンガープリント（たとえば、参照フィンガープリントストリーム）を含むことができる。さらに、参照データは、各参照フィンガープリントを、関連するメディアコンテンツ（すなわち、参照ビデオおよびオーディオフィンガープリントによって一意に識別されるコンテンツ）がその上で搬送されるかまたは搬送されることができるチャネルにマッピングすることができる。
【００２６】
最適には、たとえば、各チャネルの参照データは、チャネルのビデオ成分の参照ビデオフィンガープリントと、チャネルのオーディオ成分の参照オーディオフィンガープリントとを含むことができる。たとえば、各チャネルについて、参照データは、データ記録に関連して、それぞれの参照ビデオフィンガープリント（たとえば、参照ビデオフィンガープリントストリーム）と、それぞれのオーディオフィンガープリント（たとえば、参照オーディオフィンガープリントストリーム）とを記憶することができる。そして、参照データは、データ記録に関連して、関連するチャネルとのマッピングをさらに含み、記憶することができる。
【００２７】
参照フィンガープリントをチャネルにマッピングすることにおいて、参照データは、チャネルを互いに区別するのを助けるためにチャネルを様々な属性によって特徴づけることができる。たとえば、受信機または他のそのようなデバイスが、チャネル番号によって選択可能な複数の異なるチャネルを提供する場合、参照データは、それらのそれぞれのチャネル番号によってチャネルを特徴づけることができる。そして、別の例として、各チャネルが、たとえば特定のブロードキャスターの１つのコンテンツなど、特定のコンテンツソースのコンテンツを搬送する場合、参照データは、それらのそれぞれのコンテンツソースの識別情報によってチャネルを特徴づけることができる。またさらに、２つ以上のコンテンツ配信者（たとえば、マルチチャネル配信者）がコンテンツソースのコンテンツを配信する場合、参照データは、それらのそれぞれのコンテンツ配信者の識別情報によってチャネルを特徴づけることができる。実際には、参照データは、各参照フィンガープリントをこれらまたは他の属性のうちの１つまたは複数と相関させることができる。
【００２８】
本開示に従って動作するネットワークサーバ２４または他のエンティティは、様々なチャネルの各々上に到着しているメディアコンテンツ（たとえば、少なくとも、メディア提示デバイスにサーブする受信機にとって利用可能である様々なチャネルの各々上に到着しているメディアコンテンツ）を分析することによってこの参照データの一部または全部を確定することができる。これを可能にするために、図示のように、サーバは、受信機が顧客構内においてコンテンツを受信するように構成されることができるのとほとんど同じ方法で、様々なチャネル上でメディアコンテンツ配信者１４のうちの１つまたは複数からメディアコンテンツを受信するように構成された１つまたは複数の受信機１６を含むかまたはそれと相互接続されることができる。たとえば、サーバは、１つもしくは複数のケーブルＴＶセットトップボックス、コンピュータ、もしくは他のメディア受信機を含むかもしくはそれと相互接続されることができるか、または１つもしくは複数のそのような受信機をエミュレートするように構成されることができる。サーバは、その場合、各チャネル上に到着しているそれぞれのメディアコンテンツを受信し分析し、現在知られているかまたは後で開発される何らかのメディアフィンガープリンティングプロセス（たとえば、フレームまたは他の単位ごとにハッシュを計算すること、またはさもなければメディアコンテンツに固有の成分特徴を識別し、抽出し、デジタル的に表現すること）を使用して、各チャネルについてチャネルのビデオ成分の参照ビデオフィンガープリントとチャネルのオーディオ成分のオーディオフィンガープリントの両方を生成するように構成されることができる。
【００２９】
実際には、サーバは、複数のそのようなチャネル（場合によってはチャネルのすべて）の上で同時に受信し、チャネルについてそれぞれのフィンガープリントを並列に分析し生成するように構成されることができるか、またはサーバは、各チャネルについてそれぞれのビデオおよびオーディオフィンガープリントを分析し生成するために、場合によってはチャネルを繰り返し巡回して、チャネルからチャネルにホッピングするように構成されることができる。さらに、サーバは、参照のために、各チャネルについてメディアコンテンツの少なくとも最も直近の時間ウィンドウのそれぞれのビデオおよびオーディオフィンガープリントを保存して、これをリアルタイムで行い続けることができる。そして、サーバは、（たとえば、上述された属性などの属性を用いた）チャネルの特徴づけと、関連するメディアコンテンツの受信の時間を示すタイムスタンプ情報とに関連して、参照データ中に各チャネルの参照フィンガープリントを記録することができる。ここで、サーバは、まさに受信機が同調されたチャネルについての知識を受信機が通常有するはずであるように、各チャネルについての知識（たとえば、チャネル番号）を有するはずである。さらに、サーバは、サーバが各参照フィンガープリントストリームまたはチャネル記録についてそれぞれチャネル属性を決定し記録することができるように、そのようなチャネルの各々の属性を指定するガイド情報または他のそのようなデータ（たとえば、コンテンツソース識別情報、コンテンツ配信者識別情報など）へのアクセスを有することができる。
【００３０】
代替または追加として、サーバは、特定のチャネル上で利用可能であるかまたは提供されるようにスケジュールされたメディアコンテンツ番組のためのそのようなビデオおよびオーディオ参照フィンガープリントを受信するかまたは場合によっては確定することができる。たとえば、様々なメディアコンテンツ番組のプロバイダまたは配信者は、現在知られているかまたは後で開発される何らかのメディアフィンガープリンティングプロセスをこの場合も使用して、メディアコンテンツ番組のための参照ビデオおよびオーディオフィンガープリントを生成することができ、それらの参照フィンガープリントはサーバに提供されることができる。代替的に、サーバは、メディアコンテンツ番組のアドバンスコピーを受信することができ、それ自体でそのような参照フィンガープリントを生成することができる。さらに、サーバは、メディアコンテンツ番組がその上で利用可能であるかまたは提供されるようにスケジュールされたチャネルと、場合によってはメディアコンテンツが提供されるようにスケジュールされた日および時間とを受信するかまたは番組ガイド情報から決定することができる。サーバは、次いで、同様に関連するチャネル属性とともに、メディアコンテンツ番組がその上で利用可能であるかまたは搬送されるようにスケジュールされたチャネルに関連して、そして、場合によってはメディアコンテンツ番組が提供されるようにスケジュールされた日および時間に関連して、参照データ中に各メディアコンテンツ番組の参照フィンガープリントを記録することができる。
【００３１】
またさらに、サーバは、チャネル識別を可能にするために、各チャネルまたはメディアコンテンツ番組についてそれぞれ、参照オーディオフィンガープリントではなく、参照ビデオフィンガープリントだけを概して確定することができる。そして、サーバは、その場合、１つまたは複数の特定のチャネルに関してビデオ複数一致の状況が存在するという決定に応答して、その複数一致の状況を解決するのを次いで助けるために、それらのチャネルの各々の参照オーディオフィンガープリントを確定することを開始することができる。
【００３２】
これまたは他のそのような参照データが与えられれば、サーバが、未知のチャネル上で受信されたメディアコンテンツのフィンガープリントを提示されたとき、サーバは、現在知られているかまたは後で開発される何らかのフィンガープリント一致プロセスを使用して、そのフィンガープリントを、記憶された参照フィンガープリントのうちの１つに一致させることができ、それにより、当該のメディアコンテンツは、参照データが、一致する参照フィンガープリントにマッピングしているチャネル上に到着したと結論することができる。このようにして、サーバが、メディア提示デバイス１８によって表示されているメディアコンテンツのフィンガープリントに直面した場合、サーバは、そのフィンガープリントを参照データ中の参照フィンガープリントと比較することができる。そして、サーバが、一致する参照フィンガープリントをそれにより発見した場合、サーバは、参照データが、一致する参照フィンガープリントとマッピングしているチャネルを識別することができ、それが、メディア提示デバイスがその上でメディアコンテンツを受信しているチャネルであると（すなわち、それが、メディア提示デバイスによって表示されているメディアコンテンツを搬送するチャネルであると）結論することができる。今度は、サーバは、識別されたチャネルに基づいてチャネル固有アクションを応答的に取るか、または１つもしくは複数の他のエンティティが、識別されたチャネルに基づいてチャネル固有アクションを取ることを引き起こすかもしくは可能にすることができる。
【００３３】
実際には、メディア提示デバイスによって表示されているチャネルのビデオフィンガープリントは、表示されているチャネルを識別するために、既知のチャネルの参照ビデオフィンガープリントとの比較により、しばしば十分な基礎であることができる。したがって、一般的な実施では、メディア提示デバイス１８または別のエンティティは、メディア提示デバイスによって表示されているチャネルのビデオフィンガープリントを生成し、ビデオフィンガープリントを分析のためにサーバ２４に送信するように構成されることができる。
【００３４】
しかしながら、本開示によって扱われるように、メディア提示デバイスによって表示されているチャネルのビデオフィンガープリントが、複数のチャネルに関連する複数の参照ビデオフィンガープリントに一致する時間もあることができる。そして、そのような場合、表示されているチャネルのオーディオフィンガープリントは、次いで、曖昧性を排除するための基礎として使用されることができる。したがって、一般的な実施においてまたはそのようなビデオ複数一致の状況の発生に応答して、メディア提示デバイスまたは他のエンティティはまた、メディア提示デバイスによって表示されているチャネルのオーディオフィンガープリントを生成し、そのオーディオフィンガープリントを同様に分析のためにサーバ２６に送信するように構成されることができる。
【００３５】
この目的のために、図３は、メディア提示デバイス１８が、たとえばハードウェアおよび／またはソフトウェア（プログラムされたプロセッサ）構成要素として提供されることができる、ビデオフィンガープリント生成器３０とオーディオフィンガープリント生成器３２とを含むことができることを示している。ビデオフィンガープリント生成器３０は、メディア提示デバイスによって表示されているメディアコンテンツのデジタルビデオフィンガープリントを生成するように構成されることができ、オーディオフィンガープリント生成器３２は、メディア提示デバイスによって表示されているメディアコンテンツのデジタルオーディオフィンガープリントを生成するように構成されることができる。さらに、そのようなフィンガープリント生成器は、メディア提示デバイスが受信機１６からメディアコンテンツを受信しているとき、および／またはメディア提示デバイスがメディアコンテンツを提示のために処理しているとき、メディアコンテンツのフィンガープリントを生成するように構成されることができる。したがって、フィンガープリント生成器は、受信機からメディア提示デバイスに到着している、および／またはメディア提示デバイスによって提示のために処理されているメディアコンテンツのコピーを入力として受信し、現在知られているかまたは後で開発される何らかのメディアフィンガープリンティングプロセスを適用して、メディアコンテンツのフィンガープリントを生成することができる。
【００３６】
ビデオフィンガープリント生成器３０は、フレームごとの単位（たとえば、キーフレームごとの単位）または他の単位などで、フィンガープリントをフィンガープリントストリームとして継続的に生成するように構成されることができる。そして、メディア提示デバイスは、ビデオフィンガープリントを分析のためにネットワーク２６を介してサーバ２４に送信するように構成されることができる。例として、メディア提示デバイスは、メディア提示デバイスによって表示されているメディアコンテンツの最新のフレーム、一連のフレームまたは他のセグメントもしくは部分を表すビデオフィンガープリントをサーバに周期的にまたは時々送信するように構成されることができる。特に、メディア提示デバイスは、１つまたは複数のタイムスタンプおよび／または他のそのようなデータならびにメディア提示デバイスの識別子とともに、最新の生成されたビデオフィンガープリントを搬送するメッセージを生成することができ、そのメッセージをサーバのＩＰアドレスに送信することができる。そして、サーバは、それにより、分析のためにビデオフィンガープリントを受信することができる。
【００３７】
代替的に、サーバ自体または別のエンティティが、メディア提示デバイスによって表示されているメディアコンテンツのビデオフィンガープリントを生成することを可能にするために、メディア提示デバイスは、同様に継続的にまたは他の単位で、メディア提示デバイスによって表示されているメディアコンテンツに関する様々なデータをサーバに送信することができ、このようにしてサーバはそれを受信することができる。たとえば、メディア提示デバイスは、ビデオ成分の個々のフレーム（たとえば、スナップショット）または他のセグメントなど、メディア提示デバイスによって表示されているビデオ成分の部分をサーバに送信することができる。そして、サーバは、分析のためにメディアコンテンツのビデオフィンガープリントを生成するために、現在知られているかまたは後で開発される何らかのビデオフィンガープリンティングプロセスを適用することができる。
【００３８】
上記で説明されたプロセスを通して、サーバは、次いで、現在知られているかまたは後で開発される何らかのデジタルビデオフィンガープリント比較プロセスを使用して、メディア提示デバイスによって表示されているメディアコンテンツのビデオフィンガープリントを参照データ中の参照ビデオフィンガープリントと比較することができる。そして、上述されたように、サーバが、一致する参照ビデオフィンガープリントをそれにより発見した場合、サーバは、参照データが、一致する参照ビデオフィンガープリントとマッピングしているチャネルを決定することができ、決定されたチャネルが、メディア提示デバイスによって表示されているメディアコンテンツを搬送するチャネルであると結論することができる。
【００３９】
それにより当該のチャネルを決定することに応答して、サーバは、次いで、チャネルの決定に基づいて１つまたは複数のチャネル固有アクションを取るか、またはそれが取られることを引き起こすことができる。特に、サーバ自体が、チャネル決定に基づいてアクションを取ることができるか、またはサーバは、別のエンティティに、場合によってはメディア提示デバイスに信号を送って、チャネル決定に基づいてその別のエンティティにアクションを取らせることができる。
たとえば、サーバは、特定のチャネルがメディア提示デバイスによって提示されている程度を測定するためのチャネルレーティングまたは分析システムの一部として、メディア提示デバイスがその特定のチャネルのコンテンツを提示しているという事実を記録することができる。たとえば、メディア提示デバイスは、メディア提示デバイスが表示しているメディアコンテンツのビデオフィンガープリントをサーバに定期的に（たとえば、周期的に）報告することができ、サーバは、表示されているチャネルを決定するために本明細書で説明されているプロセスなどのプロセスを行うことができる。サーバがこのようにしてチャネルが表示されていると決定するたびに、サーバは、そのチャネルが提示されている程度を示すデータとして、表示されているチャネルのカウントまたは他の統計値を加算することができる。さらに、これらのカウントまたは他の統計値はメディア提示デバイスが当該のチャネルを提示する程度を示して、（デバイス固有の閲覧分析として）メディア提示デバイスごとにあることができる。
【００４０】
別の例として、サーバは、場合によってはメディアコンテンツの１つまたは複数の部分のための差し替えとして、ならびにビデオおよび／またはオーディオコンテンツとして、可能性の中でも、上記で説明されたポップアップ広告、コマーシャルブレーク、またはチャネル識別など、補助コンテンツをメディア提示デバイスが提示することを応答的に引き起こすことができる。たとえば、当該のチャネルについての知識が与えられれば、サーバは、決定されたチャネルに特に関連付けられた（および場合によっては、特定のメディア提示デバイスに関連付けられたプロファイルデータ（たとえば、デバイス固有の閲覧分析）にさらに基づく）特定の補助メディアコンテンツを生成するかまたは（たとえば、サーバデータストレージから）選択することができ、メディア提示デバイスが受信機から受信しているメディアコンテンツとともにメディア提示デバイスが提示するために、その補助メディアコンテンツをメディア提示デバイスに送信することができる。メディア提示デバイスは、このようにして、サーバから補助メディアコンテンツを受信し、メディア提示デバイスが受信機から受信しているメディアコンテンツとともにその補助メディアコンテンツを提示することができる。
【００４１】
実際には、このプロセスは、メディア提示デバイスによって表示されているメディアコンテンツのビデオフィンガープリントをサーバがメディア提示デバイスからリアルタイムに受信することと、受信されたビデオフィンガープリントが、サーバが既知のチャネル上で同時に受信している（かまたは同じ時間の間にスケジュールされた）メディアコンテンツの参照フィンガープリントに一致するとサーバが決定することとを含むことができる。
【００４２】
場合によっては、メディア提示デバイスがメディアコンテンツを表示し、ビデオフィンガープリントにタイムスタンプを付けてそのビデオフィンガープリントをサーバに送信するときと、サーバが既知のチャネル上でメディアコンテンツを受信し、場合によっては参照ビデオフィンガープリントにタイムスタンプが付けられているときとの間に時間差があることができる。サーバは、参照ビデオフィンガープリントのスライディングウィンドウにわたって受信されたビデオフィンガープリントを比較することによってまたはその逆によって、この時間差を考慮することができる。さらに、サーバは、受信されたビデオフィンガープリントと参照ビデオフィンガープリントとの間の決定された一致に応答してアクションを取るとき、この時間差を考慮することができる。たとえば、メディア提示デバイスが、コンテンツについてのサーバのタイムスタンプよりも十分早く（たとえば、数秒を超えてより早く）メディアコンテンツを受信した場合、サーバは、ビデオフィンガープリントの一致を依然として識別することができ、分析データを記録することができる。しかし、その時間差を検出したことに応答して、サーバは、メディア提示デバイスがユーザの視点からはあまりに遅れて（たとえば、同期から外れて）補助コンテンツを提示するという状況を回避するのを助けるために、関連する補助コンテンツをメディア提示デバイスに提示させるのを控えることができる。一方、サーバが、十分な時間期間の間ビデオフィンガープリント一致を検出し、かつ／または一致するコンテンツが続くと決定した場合、サーバは、そのような時間差に直面したときでも、補助コンテンツをメディア提示デバイスに提示させることができる。
【００４３】
いずれの場合も、これらまたは他のそのようなプロセスを通して、ネットワークサーバまたは他のエンティティは、メディア提示デバイスがその上で当該のメディアコンテンツを受信しているチャネルを決定することができる。そして、エンティティがチャネルを決定すると、エンティティは、次いで、チャネル決定に基づいてアクションを取ることができる。代替的に、エンティティは、別のエンティティに、場合によっては元のメディア提示デバイスに信号を送って、チャネル決定に基づいてその別のエンティティにアクションを取らせることができる。他の例が同様に可能である。
【００４４】
上記の議論に沿って、上述されたように参照データへのアクセスを有するサーバ２４または他のエンティティは、場合によっては参照データの間で互いに一致しメディア提示デバイスによって表示されているメディアコンテンツのビデオフィンガープリントに一致する様々な参照ビデオフィンガープリントを検出することによって、ビデオ複数一致のシナリオを識別するように構成されることができる。
【００４５】
一実装形態では、たとえば、サーバは、互いに一致する参照ビデオフィンガープリントを発見しようとして、何らかの現在知られているかまたは後で開発されるビデオフィンガープリント一致プロセスを使用して参照データ中のビデオ参照フィンガープリントのペアを比較して、ビデオ複数一致のシナリオを探し求めて参照データを定期的に分析することができる。参照ビデオフィンガープリントのうちの少なくとも２つのそのような一致の各々を発見すると、サーバは、次いで、参照ビデオフィンガープリントに、複数一致グループであるものとしてフラグ付けすることができる。そのようなフラグは、メディア提示デバイスによって表示されているメディアコンテンツのビデオフィンガープリントが、フラグ付けされた複数一致グループ中の参照ビデオフィンガープリントのいずれかに一致する場合、潜在的なあいまいさがあることを示すことができる。サーバは、様々な方法で参照ビデオフィンガープリントに複数一致グループであるものとしてフラグ付けすることができる。たとえば、サーバは、参照フィンガープリントが複数一致グループのメンバーであることを示すために、参照データ中の複数一致グループの参照ビデオフィンガープリントを相互参照することができる。
【００４６】
この実装形態では、サーバが、メディア提示デバイスによって表示されているメディアコンテンツのビデオフィンガープリントをメディア提示デバイスから受信し、サーバが、受信されたビデオフィンガープリントが参照ビデオフィンガープリントに一致すると決定したとき、サーバは、次いで、複数一致の状況が存在するかどうかを参照データから容易に決定することができる。一致する参照ビデオフィンガープリントが、複数一致グループのメンバーであるものとしてフラグ付けされていない場合、サーバは、（複数一致の状況ではなく）単一一致の状況が存在すると結論することができ、その場合、上記で説明されたように、サーバは、次いで、一致する参照フィンガープリントに関連するチャネルを参照データから容易に決定することができ、それが、メディア提示デバイスによって表示されているメディアコンテンツを搬送するチャネルであると結論することができる。他方では、一致する参照ビデオフィンガープリントが、複数一致グループのメンバーであるものとしてフラグ付けされている場合、サーバは、（単一一致の状況ではなく）複数一致の状況が存在すると結論することができ、その場合、サーバは、複数一致グループの参照ビデオフィンガープリントに関連するものの中から当該のチャネルを識別するのを助けるために曖昧性排除プロセスを実施する必要があることができる。
【００４７】
代替的に、別の実装形態では、サーバは、サーバがメディア提示デバイスからビデオフィンガープリントを受信したときにビデオ複数一致グループを識別することができる。たとえば、サーバがメディア提示デバイスからビデオフィンガープリントを受信したとき（たとえば、受信すると）、サーバは、受信されたビデオフィンガープリントを参照データ中の参照ビデオフィンガープリントのすべてと比較することができる。サーバが、それにより受信されたビデオフィンガープリントが参照ビデオフィンガープリントのうちのただ１つに一致することを検出した場合、サーバは、（複数一致の状況ではなく）単一一致の状況が存在すると結論することができ、その場合、サーバは、次いで、一致する参照フィンガープリントに関連するチャネルを参照データから容易に決定することができ、それが、メディア提示デバイスによって表示されているメディアコンテンツを搬送するチャネルであると結論することができる。他方では、サーバが、受信されたビデオフィンガープリントが参照ビデオフィンガープリントのうちの２つ以上に一致することを検出した場合、サーバは、（単一一致の状況ではなく）複数一致の状況が存在すると結論することができ、その場合、サーバは、複数一致グループの参照ビデオフィンガープリントに関連するものの中から当該のチャネルを識別するのを助けるために曖昧性排除プロセスを実施する必要があることができる。
【００４８】
上記で説明されたプロセスと同様に、２つ以上の参照ビデオフィンガープリントを含む複数一致の状況を検出するプロセスは、２つの参照ビデオフィンガープリントが、互いに対して時間遅延で２つの異なるチャネル上で搬送される同じメディアコンテンツを表す場合でも、すなわち、チャネルのうちの１つの上でのメディアコンテンツの提示が、チャネルのうちの別の１つの上での同じメディアコンテンツの提示に関して時間シフトされる場合でも、実施されることができることに留意されたい。フィンガープリント一致プロセスは、この時間シフトを考慮することができ、一方のビデオフィンガープリントをスライディングウィンドウにわたって他方のビデオフィンガープリントと比較することなどによって、ビデオフィンガープリントが通常ならば互いに一致する場合に依然として一致を発見することができる。たとえば、参照データ内で一致する参照ビデオフィンガープリントを発見するプロセスは、互いに一致し、互いのしきい値時間間隔内にあるそれぞれの時間において提示および／またはスケジュールされる、参照ビデオフィンガープリントについて探索することを含むことができる。
【００４９】
上述されたように、この分析を行うサーバまたは他のエンティティは、メディア提示デバイスによって表示されているメディアコンテンツのビデオフィンガープリントが、複数のチャネルとそれぞれ対応する複数の参照フィンガープリントに一致することを検出したとき、このエンティティは、複数一致グループに関連するチャネルのうちのどれが、メディア提示デバイスによって表示されているメディアコンテンツを搬送する実際のチャネルであるかを決定するのを助けるために、曖昧性排除プロセスを適用することができる。
【００５０】
本開示によれば、曖昧性排除プロセスは、メディア提示デバイスによって表示されているメディアコンテンツのオーディオフィンガープリントがただ単一のチャネルに一致するというさらなる決定に基づくことができる。
【００５１】
上述されたように、曖昧性排除のこの形態は、複数のチャネルが、関連するオーディオを同じビデオに提供し、チャネル上のビデオがほとんど等しいが、チャネルが互いに異なるオーディオトラックを有する状況において適用されることができる。この状況では、ビデオ複数一致に直面したとき、サーバまたは他のエンティティは、曖昧性を排除するための基礎として、メディア提示デバイスによって表示されているオーディオ成分のオーディオフィンガープリントを利用することができる。特に、サーバは、メディア提示デバイスから受信されたオーディオフィンガープリントを、ビデオ複数一致グループに関連するチャネルの参照オーディオフィンガープリントと比較することができ、それにより、オーディオフィンガープリントがそれらのチャネルのうちのただ１つの参照オーディオフィンガープリントに一致すると決定することができ、それにより、その１つのチャネルが、メディア提示によって表示されているメディアコンテンツを搬送するチャネルであるという結論をサポートする。
【００５２】
これを実際に可能にするために、上述されたように、サーバは、メディア提示デバイスによって表示されているオーディオ成分のオーディオフィンガープリント（たとえば、オーディオフィンガープリントストリーム）をメディア提示デバイスから定期的に受信することができる。そして、サーバは、様々な利用可能なチャネルの参照オーディオフィンガープリント（たとえば、参照オーディオフィンガープリントストリーム）を含む参照データを定期的に確定または受信することができる。このようにして、ビデオ複数一致の状況に直面したとき、サーバは、曖昧性を排除するために、メディア提示デバイスからのオーディオフィンガープリントを複数一致グループメンバーのオーディオフィンガープリントと容易に比較することができる。
【００５３】
代替的に、上述されたように、サーバは、メディア提示デバイスから、オーディオフィンガープリントではなく、ビデオフィンガープリントだけを定期的に受信することができ、その場合、ビデオ複数一致の状況を検出すると、サーバは、次いで、曖昧性排除を可能にするために、表示されているメディアコンテンツのオーディオフィンガープリントを提供するようにメディア提示デバイスに要求することができる。さらに、サーバは、各利用可能なチャネルの参照ビデオフィンガープリントだけを定期的に生成することができ、その場合、ビデオ複数一致の状況を検出すると、サーバは、次いで、曖昧性排除を可能にするために、ビデオ複数一致のグループに関連するチャネルのオーディオフィンガープリントを生成することを開始することができる。
【００５４】
また、場合によっては、２つの異なるチャネルのオーディオトラックは、互いに部分的にのみ異なることができることに留意されたい。たとえば、２つのチャネルは、同じバックグラウンドミュージックおよびサウンドエフェクトを含む、互いに同じムービーコンテンツを提供することができるが、それらのチャネルは互いに異なる言語トラックを有することができる（たとえば、一方は英語であり、他方はスペイン語で吹き替えられている）。このような部分的なオーディオトラックの相違を考慮するために、サーバは、ある時間期間にわたってオーディオフィンガープリント比較を実施することができ、ビデオ複数一致のシナリオを曖昧性を排除し解決するのに使用するためにオーディオトラックの間の差異を識別し追跡することができる。
【００５５】
たとえば、サーバは、ある時間期間の間（たとえば、約６０〜１２０秒間）メディア提示からオーディオフィンガープリントストリームを受信することができ、サーバは、オーディオフィンガープリントストリームの１つの時間セグメントが複数一致グループの複数の参照オーディオフィンガープリントに一致すると決定することができるが、オーディオフィンガープリントストリームの別の時間セグメントが参照オーディオフィンガープリントのうちのただ１つに一致すると決定することができ、それにより、一致する参照オーディオフィンガープリントに関連するチャネルが当該のチャネルであることを確定する。米国特許出願第１５／２２２，４０５号は、そのような曖昧性排除を実施するための基礎として以前または以後のフィンガープリント時間セグメントを使用することについてさらなる議論を提供し、そこで説明されている原理はこのコンテキストにおいても適用されることができる。
【００５６】
またさらに、サーバが事前に参照ビデオフィンガープリントを評価し、参照データ中のビデオ複数一致グループにフラグ付けする実装形態では、サーバは、複数一致グループに関連するチャネルの参照オーディオフィンガープリントを比較して、参照オーディオフィンガープリントが互いに異なるかどうかを決定することができ、そうである場合、オーディオフィンガープリント分析により曖昧性排除が可能になることができることを示すためにビデオ複数一致グループにさらにフラグ付けすることができる。たとえば、サーバは、ビデオ複数一致グループに関連して、オーディオフィンガープリント分析により曖昧性排除が可能になることができるというブール値または他の示すものを記録することができる。メディア提示デバイスによって提供されるビデオフィンガープリントに関してビデオ複数一致の状況を後で検出すると、サーバは、次いで、ビデオ複数一致グループがそのようにさらにフラグ付けされたことを検出することができ、ビデオ複数一致の状況を検出しさらなるフラグ付けを検出したことに応答して、サーバは、オーディオフィンガープリント分析に基づいて曖昧性を排除しようとするプロセスを応答的に開始することができる。
【００５７】
関連して上記で説明された様々な態様、ビデオフィンガープリント分析は、複数一致曖昧性排除を可能にするためにオーディオフィンガープリント分析に関しても適用されることができる。たとえば、メディア提示デバイスは、サーバ自体がメディアコンテンツのビデオフィンガープリントを分析のために生成することを可能にするために、メディアコンテンツデータ（たとえば、表示されているメディアコンテンツの個々のビデオフレームまたは他のセグメント）をサーバに提供することができるのとちょうど同じように、メディア提示デバイスは、サーバ自体がメディアコンテンツのオーディオフィンガープリントを分析のために生成することを可能にするために、メディアコンテンツ（たとえば、表示されているメディアコンテンツのオーディオセグメント）をサーバに提供することができる。別の例として、サーバが、ビデオフィンガープリントを比較するときに時間シフトを考慮することができ、十分にステイルなビデオフィンガープリントデータに応答して何らかのアクションを取るのを回避するように注意することができるのとちょうど同じように、サーバは、オーディオフィンガープリントを比較するときに時間シフトを考慮することができ、十分にステイルなオーディオフィンガープリントデータに応答して何らかのアクションを取るのを回避するように注意することができる。そして、また別の例として、サーバが、ビデオフィンガープリントを比較するために現在知られているかまたは後で開発される何らかのビデオフィンガープリント一致プロセスを使用することができるのとちょうど同じように、サーバは、オーディオフィンガープリントを比較するために現在知られているかまたは後で開発される何らかのオーディオフィンガープリント一致プロセスを使用することができる。他の例が同様に可能である。
【００５８】
さらに、本明細書の説明では、サーバ２４がビデオ複数一致の状況を識別し、次いでオーディオフィンガープリント分析に基づいて曖昧性を排除することに主に焦点を当てているが、説明される動作の一部または全部は、サーバの代わりにまたはそれと協働して、１つまたは複数の他のエンティティによって代替的に行われることができることに留意されたい。
【００５９】
たとえば、動作のうちの１つまたは複数は、メディア提示デバイス自体によって行われるか、またはメディア提示デバイスとローカル通信している補助システムによって行われることができる。例として、メディア提示デバイス自体は、上記で説明された参照データのような参照データをプロビジョニングされるかまたはそれへのアクセスを有することができる、メディア提示デバイスは、ビデオ複数一致の状況を識別し、オーディオフィンガープリント分析に基づいて曖昧性排除を実施し、それにより、メディア提示デバイスによって表示されているメディアコンテンツを提供するチャネルを識別するために、参照データをそれ自体で参照することができる。さらに、ビデオ複数一致の状況を検出したことに応答して、メディア提示デバイスは、次いで、ビデオ複数一致グループに関連するチャネルについて参照オーディオフィンガープリントをサーバに要求し受信することができるか、またはメディア提示デバイスは、そのような参照オーディオフィンガープリントデータを別々にプロビジョニングされることができる。そして、メディア提示デバイスは、次いで、そのようなオーディオフィンガープリントを、表示されているオーディオ成分のオーディオフィンガープリントと比較することによって、曖昧性排除をそれ自体で実施することができる。またさらに、メディア提示デバイスは、次いで、チャネル固有コンテンツを提示すること、チャネル提示を記録することなど、チャネル固有アクションをそれ自体で取ることができるか、またはそのようなアクションを１つもしくは複数の他のエンティティに取らせるかもしくはそのようなアクションを取るために１つもしくは複数の他のエンティティと協働することができる。
【００６０】
図４は、今度は、上記の説明に沿って行われることができる方法を示すフローチャートである。図４によって示されている方法における動作のうちの１つまたは複数は、限定はしないが、ネットワークサーバ、メディア提示デバイス、および／またはこれらもしくは他のエンティティのためにもしくはそれらと協働して動作する１つもしくは複数のエンティティを含む、１つまたは複数のエンティティによって行われることができる。いかなるそのようなエンティティも、方法動作のうちの１つまたは複数を行うように構成された、プログラムされた処理ユニットなどのコンピューティングシステムを具備することができる。さらに、非一時的データストレージ（たとえば、ディスクストレージ、フラッシュストレージ、または他のコンピュータ可読媒体）は、様々な図示された動作を行うように処理ユニットによって実行可能な命令を記憶していることがある。
【００６１】
図４に示されているように、ブロック４０において、本方法は、メディア提示デバイスによって表示されているメディアコンテンツのビデオフィンガープリントが、異なるそれぞれのチャネルとそれぞれ対応する複数の参照ビデオフィンガープリントに一致するとコンピューティングシステムが決定することを含む。ブロック４２において、本方法は、次いで、ビデオフィンガープリントが、異なるそれぞれのチャネルとそれぞれ対応する複数の参照ビデオフィンガープリントに一致すると少なくとも決定することに応答して、メディア提示デバイスによって表示されているメディアコンテンツのオーディオフィンガープリントが、ただ単一のチャネルと対応する参照オーディオフィンガープリントに一致するという決定に少なくとも部分的に基づいて曖昧性排除を実施することを含み、曖昧性排除は、メディア提示デバイスが単一のチャネル上でメディアコンテンツを受信していることを確定する。そして、ブロック４４において、本方法は、メディア提示デバイスが単一のチャネル上でメディアコンテンツを受信していることを確定することに基づいてアクションを取ることを含む。
【００６２】
上記で説明されたように、メディア提示デバイスによって表示されているメディアコンテンツは、ビデオトラックとオーディオトラック（たとえば、少なくとも言語トラック）とを有することができ、ビデオフィンガープリントはビデオトラックのフィンガープリントであることができ、オーディオフィンガープリントはオーディオトラックのフィンガープリントであることができる。
【００６３】
さらに、上記で説明されたように、コンピューティングシステムが、メディア提示デバイス以外のサーバまたは他のエンティティである場合、メディア提示デバイスは、メディア提示デバイスによって表示されているメディアコンテンツのビデオおよびオーディオフィンガープリントを生成することができ、コンピューティングシステムは、メディア提示デバイスからそれらのフィンガープリントを受信することができる。
【００６４】
またさらに、例示的な実装形態では、複数の参照フィンガープリントは、参照データ中の複数の参照フィンガープリントから選択されることができ、その場合、メディア提示デバイスによって表示されているメディアコンテンツのビデオフィンガープリントが複数の参照ビデオフィンガープリントに一致すると決定することは、（ｉ）メディア提示デバイスによって表示されているメディアコンテンツのビデオフィンガープリントを参照データ中の複数の参照ビデオフィンガープリントと比較することと、（ｉｉ）比較することに基づいて、メディア提示デバイスによって表示されているメディアコンテンツの第１のセグメントのビデオフィンガープリントが複数の参照ビデオフィンガープリントに一致すると決定することとを含むことができる。
【００６５】
および、またさらに、本方法はまた、複数の参照フィンガープリントからなる複数一致グループを検出しフラグ付けすることを含むことができ、その場合、メディア提示デバイスによって表示されているメディアコンテンツのビデオフィンガープリントが複数の参照ビデオフィンガープリントに一致すると決定する行為は、メディア提示デバイスによって表示されているメディアコンテンツのビデオフィンガープリントが、フラグ付けされた複数一致グループの参照ビデオフィンガープリントに一致すると決定することを含むことができる。
【００６６】
そして、本方法は、（ｉ）フラグ付けされた複数一致グループのビデオフィンガープリントと対応するオーディオフィンガープリントを比較することと、（ｉｉ）比較することに基づいて、比較されたオーディオフィンガープリントの間の差を検出することと、（ｉｉｉ）差を検出することに応答して、オーディオフィンガープリント分析が曖昧性排除を可能にすることができることを示すために複数一致グループにさらにフラグ付けすることとをさらに含むことができる。そして、その場合、メディア提示デバイスによって表示されているメディアコンテンツのオーディオフィンガープリントが、ただ単一のチャネルと対応する参照オーディオフィンガープリントに一致するという決定に基づいて曖昧性排除を実施する行為は、オーディオフィンガープリント分析が曖昧性排除を可能にすることができることを示すために複数一致グループがさらにフラグ付けされると決定することにさらに応答することができる。
【００６７】
また、上記の説明によれば、本方法は、メディア提示デバイスによって表示されているメディアコンテンツのオーディオフィンガープリントが、ただ単一のチャネルと対応する参照オーディオフィンガープリントに一致するという決定を行うことを含むことができる。たとえば、本方法は、（ｉ）メディア提示デバイスによって表示されているメディアコンテンツのオーディオフィンガープリントを、複数の参照ビデオフィンガープリントと同じチャネルと対応する参照オーディオフィンガープリントと比較することと、（ｉｉ）比較することに基づいて、メディア提示デバイスによって表示されているメディアコンテンツのオーディオフィンガープリントが参照オーディオフィンガープリントのうちのただ単一の１つに一致すると決定することとを含むことができる。
【００６８】
さらに、上記で説明されたように、コンピューティングシステムはメディア提示デバイス以外のエンティティであることができる。そして、本方法は、ビデオフィンガープリントが、異なるそれぞれのチャネルとそれぞれ対応する複数の参照ビデオフィンガープリントに一致すると少なくとも決定することに応答して、取得されたオーディオフィンガープリントに基づいて曖昧性排除の実施を可能にするために、メディア提示デバイスによって表示されているメディアコンテンツのオーディオフィンガープリントをコンピューティングシステムがメディア提示デバイスに要求し、受信することをさらに含むことができる。
【００６９】
および、またさらに、本方法は、ビデオフィンガープリントが、異なるチャネルとそれぞれ対応する複数の参照フィンガープリントに一致すると少なくとも決定することに応答して、比較することを可能にするために、複数の参照ビデオフィンガープリントと同じチャネルと対応する参照オーディオフィンガープリントを生成することを含むことができる。
さらに、上記で説明されたように、メディア提示デバイスが単一のチャネル上でメディアコンテンツを受信していることを確定することに基づいてアクションを取る行為は、（ｉ）メディア提示デバイスによって表示されているメディアコンテンツとともに補助チャネル固有コンテンツが提示させられることと、（ｉｉ）チャネルレーティングシステムにおける使用のために単一のチャネルの提示を記録することとからなる群から選択されたアクションを取ることを含むことができる。そして、上述されたように、本方法は、少なくとも部分的にメディア提示デバイスによって行われることができる。
【００７０】
図５は、今度は、本開示に従って動作可能な例示的なシステムの簡略ブロック図である。このシステムは、上記で説明されたネットワークサーバ、および／または（場合によってはメディア提示デバイスを含む）１つまたは複数の他のエンティティを表すことができる。図５に示されているように、例示的なシステムは、ネットワーク通信インターフェース５０と、処理ユニット５２と、非一時的データストレージ５４とを含み、それらのいずれかまたはすべては、一緒に統合されるか、または図示のように、システムバス、ネットワーク、もしくは他の接続機構５６によって互いに通信可能にリンクされることができる。
【００７１】
ネットワーク通信インターフェース５０は、上記で説明されたネットワーク２６などのネットワーク上で通信を可能にするために、および／または１つもしくは複数の他のローカルもしくはリモートエンティティとの直接もしくはネットワーク化通信に関与するために、１つまたは複数の物理的ネットワーク接続機構を備えることができる。したがって、ネットワーク通信インターフェースは、ＩＰ通信および／または他のタイプのネットワーク通信に関与するために、ワイヤレスもしくはワイヤードイーサネット(登録商標)インターフェースまたは他のタイプのネットワークインターフェースを備えることができる。
【００７２】
処理ユニット５２は、その上、１つもしくは複数の汎用プロセッサ（たとえば、マイクロプロセッサ）および／または１つもしくは複数の専用プロセッサ（たとえば、特定用途向け集積回路）を備えることができる。そして、非一時的データストレージ５４は、光学、磁気、またはフラッシュストレージなど、１つまたは複数の揮発性および／または不揮発性ストレージ構成要素を備えることができる。
図示のように、データストレージ５４は、その上、本明細書で説明される様々な動作を行うように処理ユニット５２によって実行可能であることができるプログラム命令５８を記憶する。たとえば、プログラム命令は、（ｉ）メディア提示デバイスによって表示されているメディアコンテンツのビデオフィンガープリントを、ネットワーク通信インターフェースを介してメディア提示デバイスから受信し、（ｉｉ）受信されたビデオフィンガープリントが、複数のチャネルと対応する参照ビデオフィンガープリントに一致すると決定し、（ｉｉｉ）メディア提示デバイスによって表示されているメディアコンテンツのオーディオフィンガープリントを、ネットワーク通信インターフェースを介してメディア提示デバイスから受信し、（ｉｖ）受信されたオーディオフィンガープリントを使用して、複数のチャネルのうちのどれが、メディア提示デバイスによって表示されているメディアコンテンツを搬送するかを決定し、（ｖ）決定されたチャネルに基づいてアクションを取るように実行可能であることができる。
【００７３】
これらの動作は、ここでの説明に沿って、様々な形態を取ることができる。たとえば、メディア提示デバイスによって表示されているメディアコンテンツのオーディオフィンガープリントをメディア提示デバイスから受信する行為は、場合によってはビデオフィンガープリントとともにオーディオフィンガープリントを受信して、受信されたビデオフィンガープリントが、複数のチャネルと対応する参照ビデオフィンガープリントに一致すると決定する前の時点において行われることができる。代替的に、メディア提示デバイスによって表示されているメディアコンテンツのオーディオフィンガープリントをメディア提示デバイスから受信する行為の行為は、ビデオ複数一致に応答して、メディア提示デバイスによって表示されているメディアコンテンツのオーディオフィンガープリントについての要求をメディア提示デバイスに送り、その要求を送ったことに応答してオーディオフィンガープリントを受信することなどによって、受信されたビデオフィンガープリントが、複数のチャネルと対応する参照ビデオフィンガープリントに一致すると決定することに応答して行われることができる。他の例も可能である。
【００７４】
最後に、図６は、本開示に従って動作可能な例示的なメディア提示デバイスの簡略ブロック図である。上記の説明に沿って、このメディア提示デバイスは様々な形態を取ることができる。たとえば、それは、テレビジョン、コンピュータモニタ、もしくはビデオコンテンツを受信し表示するように動作する他のデバイスであることができ、および／またはそれは、ラウドスピーカー、ヘッドフォンのペア、もしくはオーディオコンテンツを受信し表示するように動作する他のデバイスであることができる。多数の他の例が同様に可能である。
【００７５】
図６に示されているように、例示的なメディア提示デバイスは、メディア入力インターフェース６０と、メディア提示インターフェース６２と、ネットワーク通信インターフェース６４と、処理ユニット６６と、非一時的データストレージ６８とを含み、それらのいずれかまたはすべては、一緒に統合されるか、または図示のように、システムバス、ネットワーク、もしくは他の接続機構７０によって互いに通信可能にリンクされることができる。
【００７６】
メディア入力インターフェース６０は、メディア提示デバイスによって提示されるメディアコンテンツを受信するための物理的通信インターフェースを備えることができる。したがって、メディア入力インターフェースは、受信機または他のデバイスもしくはシステムとの通信を確立し、それらからアナログまたはデジタル形式でメディアコンテンツを受信するために、１つまたは複数のワイヤードおよび／またはワイヤレスインターフェースを含むことができる。たとえば、メディア入力インターフェースは、数多くの中でも、ＤＶＩ、ＨＤＭＩ(登録商標)、ＶＧＡ、ＵＳＢ、ＢＬＵＥＴＯＯＴＨ(登録商標)、ＷＩＦＩなどのプロトコルに準拠する１つまたは複数のインターフェースを含むことができる。
【００７７】
メディア提示インターフェース６２は、さらに、受信されたメディアコンテンツの提示を可能にするための１つまたは複数の構成要素を備えることができる。例として、メディア提示インターフェースは、ディスプレイスクリーンおよび／またはラウドスピーカーなどのユーザインターフェース、ならびに、そのユーザインターフェース上でコンテンツの提示を可能にするために、受信されたメディアコンテンツを処理するための１つまたは複数のドライバまたは他の構成要素を備えることができる。
【００７８】
ネットワーク通信インターフェース６４は、上記で説明されたネットワーク２６などのネットワーク上で通信を可能にするために、および／または１つもしくは複数の他のローカルもしくはリモートエンティティとの直接もしくはネットワーク化通信に関与するために、物理的ネットワーク接続機構を備えることができる。したがって、ネットワーク通信インターフェースは、ＩＰ通信および／または他のタイプのネットワーク通信に関与するために、ワイヤレスもしくはワイヤードイーサネット(登録商標)インターフェースまたは他のタイプのネットワークインターフェースを備えることができる。
【００７９】
処理ユニット６６は、その上、１つもしくは複数の汎用プロセッサ（たとえば、マイクロプロセッサ）および／または１つもしくは複数の専用プロセッサ（たとえば、特定用途向け集積回路）を備えることができる。そして、非一時的データストレージ６８は、光学、磁気、またはフラッシュストレージなど、１つまたは複数の揮発性および／または不揮発性ストレージ構成要素を備えることができる。さらに、図示のように、データストレージ６８は、ここで説明される様々な動作を行うように処理ユニット６６によって実行可能であることができるプログラム命令７２を記憶する。たとえば、プログラム命令は、メディア入力インターフェース６０において受信されているおよび／またはメディア提示インターフェースにおいて処理されているメディアコンテンツの分析に基づいて、メディア提示デバイスによって表示されているメディアコンテンツのビデオフィンガープリントとオーディオフィンガープリントとを継続的にまたは要求時に生成し、本明細書で説明されるようにチャネル識別を可能にするために生成されたフィンガープリントを継続的にまたは要求時に提供するように実行可能であることができる。
【００８０】
例示的な実施形態について上記で説明された。しかしながら、当業者は、本発明の真の範囲および趣旨から逸脱することなくこれらの実施形態に変更および修正が行われることができることを理解されよう。
【図１】
2019507515.tif 000003
【図２】
2019507515.tif 000004
【図３】
2019507515.tif 000005
【図４】
2019507515.tif 000006
【図５】
2019507515.tif 000007
【図６】
2019507515.tif 000008
【図７】
2019507515.tif 000009
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
メディア提示デバイスによって表示されているメディアコンテンツのデジタルビデオフィンガープリントが、異なるそれぞれのチャネルとそれぞれ対応する複数の参照ビデオフィンガープリントに一致するとコンピューティングシステムによって決定することと、
前記デジタルビデオフィンガープリントが、異なるそれぞれのチャネルとそれぞれ対応する前記複数の参照ビデオフィンガープリントに一致すると少なくとも決定することに応答して、前記メディア提示デバイスによって表示されている前記メディアコンテンツのデジタルオーディオフィンガープリントが、ただ単一のチャネルと対応する参照オーディオフィンガープリントに一致するという決定に少なくとも部分的に基づいて、前記コンピューティングシステムによって曖昧性排除を実施することであって、前記曖昧性排除は、前記メディア提示デバイスが前記単一のチャネル上で前記メディアコンテンツを受信していることを確定し、前記メディア提示デバイスによって表示されている前記メディアコンテンツの前記デジタルオーディオフィンガープリントが、ただ前記単一のチャネルと対応する前記参照オーディオフィンガープリントに一致するという前記決定に少なくとも部分的に基づいて、曖昧性排除を実施することは、（ｉ）前記メディア提示デバイスによって表示されている前記メディアコンテンツの前記デジタルオーディオフィンガープリントを、前記複数の参照ビデオフィンガープリントと同じチャネルと対応する参照オーディオフィンガープリントと比較することと、（ｉｉ）前記比較することに基づいて、前記メディア提示デバイスによって表示されている前記メディアコンテンツの前記デジタルオーディオフィンガープリントが前記参照オーディオフィンガープリントのうちのただ単一の１つに一致すると決定することとを含む、ことと、
前記メディア提示デバイスが前記単一のチャネル上で前記メディアコンテンツを受信していると前記確定することに基づいて前記コンピューティングシステムによってアクションを取ることと
を含む方法。
【請求項２】
前記メディア提示デバイスによって表示されている前記メディアコンテンツがビデオトラックとオーディオトラックとを有し、前記デジタルビデオフィンガープリントが前記ビデオトラックのフィンガープリントであり、前記デジタルオーディオフィンガープリントが前記オーディオトラックのフィンガープリントである、請求項１に記載の方法。
【請求項３】
前記メディア提示デバイスによって表示されている前記メディアコンテンツの前記デジタルオーディオフィンガープリントが、前記メディア提示デバイスによって表示されている前記メディアコンテンツの少なくとも言語トラックを表す、請求項１に記載の方法。
【請求項４】
前記コンピューティングシステムが前記メディア提示デバイス以外のエンティティであり、前記デジタルビデオフィンガープリントと前記デジタルオーディオフィンガープリントとが前記メディア提示デバイスによって生成され、前記方法が、
前記デジタルビデオフィンガープリントと前記デジタルオーディオフィンガープリントとを、前記メディア提示デバイスから前記コンピューティングシステムによって受信すること
をさらに含む、請求項１に記載の方法。
【請求項５】
前記複数の参照ビデオフィンガープリントが、参照データ中の複数の参照ビデオフィンガープリントから選択され、前記メディア提示デバイスによって表示されている前記メディアコンテンツの前記デジタルビデオフィンガープリントが前記複数の参照ビデオビデオフィンガープリントに一致すると決定することは、
前記メディア提示デバイスによって表示されている前記メディアコンテンツの前記デジタルビデオフィンガープリントを前記参照データ中の前記複数の参照ビデオフィンガープリントと比較することと、
前記比較することに基づいて、前記メディア提示デバイスによって表示されている前記メディアコンテンツの前記デジタルビデオフィンガープリントが前記複数の参照ビデオフィンガープリントに一致すると決定することと
を含む、請求項１に記載の方法。
【請求項６】
前記複数の参照ビデオフィンガープリントからなる複数一致グループを検出しフラグ付けすることをさらに含み、
前記メディア提示デバイスによって表示されている前記メディアコンテンツの前記デジタルビデオフィンガープリントが前記複数の参照ビデオフィンガープリントに一致すると決定することは、前記メディア提示デバイスによって表示されている前記メディアコンテンツの前記デジタルビデオフィンガープリントが、前記フラグ付けされた複数一致グループの前記参照ビデオフィンガープリントに一致すると決定することを含む、
請求項１に記載の方法。
【請求項７】
前記フラグ付けされた複数一致グループの前記参照ビデオフィンガープリントと対応する参照オーディオフィンガープリントを比較することと、
前記比較することに基づいて、前記比較された参照オーディオフィンガープリントの間の差を検出することと、
前記差を検出することに応答して、オーディオフィンガープリント分析が曖昧性排除を可能にすることができることを示すために前記複数一致グループにさらにフラグ付けすることと
をさらに含み、
前記メディア提示デバイスによって表示されている前記メディアコンテンツの前記デジタルオーディオフィンガープリントが、ただ単一のチャネルと対応する参照オーディオフィンガープリントに一致するという前記決定に基づいて曖昧性排除を実施することは、オーディオフィンガープリント分析が曖昧性排除を可能にすることができることを示すために前記複数一致グループがさらにフラグ付けされると決定することにさらに応答する、
請求項６に記載の方法。
【請求項８】
前記コンピューティングシステムが前記メディア提示デバイス以外のエンティティであり、前記方法は、
前記デジタルビデオフィンガープリントが、異なるそれぞれのチャネルとそれぞれ対応する前記複数の参照ビデオフィンガープリントに一致すると少なくとも決定することに応答して、取得されたデジタルオーディオフィンガープリントに基づいて曖昧性排除の前記実施を可能にするために、前記メディア提示デバイスによって表示されている前記メディアコンテンツの前記デジタルオーディオフィンガープリントを前記コンピューティングシステムが前記メディア提示デバイスに要求し、受信すること
をさらに含む、請求項１に記載の方法。
【請求項９】
前記デジタルビデオフィンガープリントが、異なるチャネルとそれぞれ対応する前記複数の参照フィンガープリントに一致すると少なくとも決定することに応答して、前記比較することを可能にするために、前記複数の参照ビデオフィンガープリントと同じチャネルと対応する前記参照オーディオフィンガープリントを生成すること
をさらに含む、請求項１に記載の方法。
【請求項１０】
前記メディア提示デバイスが前記単一のチャネル上で前記メディアコンテンツを受信していることを前記確定することに基づいてアクションを取ることは、前記メディア提示デバイスによって表示されている前記メディアコンテンツとともに補助チャネル固有コンテンツが提示させられることを含む、請求項１に記載の方法。
【請求項１１】
少なくとも部分的に前記メディア提示デバイスによって行われる、請求項１に記載の方法。
【請求項１２】
前記メディア提示デバイスが前記単一のチャネル上で前記メディアコンテンツを受信していることを前記確定することに基づいてアクションを取ることが、チャネルレーティングシステムにおける使用のために前記単一のチャネルの提示を記録することを含む、請求項１に記載の方法。
【請求項１３】
メディア提示デバイスによって表示されているメディアコンテンツのデジタルビデオフィンガープリントが、異なるそれぞれのチャネルとそれぞれ対応する複数の参照ビデオフィンガープリントに一致すると決定することと、
前記デジタルビデオフィンガープリントが、異なるそれぞれのチャネルとそれぞれ対応する前記複数の参照ビデオフィンガープリントに一致すると少なくとも決定することに応答して、前記メディア提示デバイスによって表示されている前記メディアコンテンツのデジタルオーディオフィンガープリントが、ただ単一のチャネルと対応する参照オーディオフィンガープリントに一致するという決定に少なくとも部分的に基づいて曖昧性排除を実施することであって、前記曖昧性排除は、前記メディア提示デバイスが前記単一のチャネル上で前記メディアコンテンツを受信していることを確定し、前記メディア提示デバイスによって表示されている前記メディアコンテンツの前記デジタルオーディオフィンガープリントが、ただ前記単一のチャネルと対応する前記参照オーディオフィンガープリントに一致するという前記決定に少なくとも部分的に基づいて、曖昧性排除を実施することは、（ｉ）前記メディア提示デバイスによって表示されている前記メディアコンテンツの前記デジタルオーディオフィンガープリントを、前記複数の参照ビデオフィンガープリントと同じチャネルと対応する参照オーディオフィンガープリントと比較することと、（ｉｉ）前記比較することに基づいて、前記メディア提示デバイスによって表示されている前記メディアコンテンツの前記デジタルオーディオフィンガープリントが前記参照オーディオフィンガープリントのうちのただ単一の１つに一致すると決定することとを含む、ことと、
前記メディア提示デバイスが前記単一のチャネル上で前記メディアコンテンツを受信していることを前記確定することに基づいてアクションを取ることと
を含む動作を行うように処理ユニットによって実行可能な命令を記憶した非一時的コンピュータ可読媒体。
【請求項１４】
前記メディア提示デバイスによって表示されている前記メディアコンテンツの前記デジタルオーディオフィンガープリントが、前記メディア提示デバイスによって表示されている前記メディアコンテンツの少なくとも言語トラックを表す、請求項１３に記載の非一時的コンピュータ可読媒体。
【請求項１５】
前記メディア提示デバイスが前記単一のチャネル上で前記メディアコンテンツを受信していることを前記確定することに基づいてアクションを取ることは、前記メディア提示デバイスによって表示されている前記メディアコンテンツとともに補助チャネル固有コンテンツが提示させられることを含む、請求項１３に記載の非一時的コンピュータ可読媒体。
【請求項１６】
前記メディア提示デバイスが前記単一のチャネル上で前記メディアコンテンツを受信していることを前記確定することに基づいてアクションを取ることが、チャネルレーティングシステムにおける使用のために前記単一のチャネルの提示を記録することを含む、請求項１３に記載の非一時的コンピュータ可読媒体。
【請求項１７】
ネットワーク通信インターフェースと、
処理ユニットと、
非一時的データストレージと、
前記非一時的データストレージに記憶されたプログラム命令と
を備えるシステムであって、前記プログラム命令は、
メディア提示デバイスによって表示されているメディアコンテンツのデジタルビデオフィンガープリントを、前記ネットワーク通信インターフェースを介して前記メディア提示デバイスから受信することと、
前記受信されたデジタルビデオフィンガープリントが、複数のチャネルと対応する参照ビデオフィンガープリントに一致すると決定することと、
前記メディア提示デバイスによって表示されている前記メディアコンテンツのデジタルオーディオフィンガープリントを、前記ネットワーク通信インターフェースを介して前記メディア提示デバイスから受信することと、
前記複数のチャネルのうちのどれが、前記メディア提示デバイスによって表示されている前記メディアコンテンツを搬送するかを決定するために、前記受信されたデジタルオーディオフィンガープリントを使用することであって、前記複数のチャネルのうちのどれが、前記メディア提示デバイスによって表示されている前記メディアコンテンツを搬送するかを決定するために、前記受信されたオーディオフィンガープリントを使用することは、（ｉ）前記受信されたデジタルオーディオフィンガープリントを、前記複数のチャネルと対応する参照オーディオフィンガープリントと比較することと、（ｉｉ）前記比較することに基づいて、前記受信されたデジタルオーディオフィンガープリントが前記参照オーディオフィンガープリントのうちのただ単一の１つに一致すると決定することとを含む、ことと、
前記決定されたチャネルに基づいてアクションを取ることと
を含む動作を行うように前記処理ユニットによって実行可能である、システム。
【請求項１８】
前記動作は、
前記デジタルビデオフィンガープリントが、前記複数のチャネルと対応する前記参照ビデオフィンガープリントに一致すると決定することに少なくとも応答して、前記メディア提示デバイスによって表示されている前記メディアコンテンツの前記デジタルオーディオフィンガープリントについての要求を前記メディア提示デバイスに送ることをさらに含み、
前記メディア提示デバイスによって表示されている前記メディアコンテンツの前記デジタルオーディオフィンガープリントを前記メディア提示デバイスから受信することが、前記要求を送ることに応答して行われる、
請求項１７に記載のシステム。
【請求項１９】
前記決定されたチャネルに基づいてアクションを取ることは、前記メディア提示デバイスによって表示されている前記メディアコンテンツとともに補助チャネル固有コンテンツが提示させられることを含む、請求項１７に記載のシステム。
【請求項２０】
前記決定されたチャネルに基づいてアクションを取ることが、チャネルレーティングシステムにおける使用のために前記決定されたチャネルの提示を記録することを含む、請求項１７に記載のシステム。
【国際調査報告】
2019507515.tif 000010
2019507515.tif 000011